(57)【要約】【課題】暗号化データの印刷を行う場合のセキュリティを高めることができるようにする。【解決手段】本発明の画像形成装置は、少なくとも暗号化データを受信する受信部と、受信部によって受信された暗号化データと暗号化データの関連情報とを対応付けて一時的に格納する格納部と、格納部に格納された暗号化データを復号化する復号化部とを備え、受信部は、格納部に暗号化データが格納された後に、関連情報に対応する特定情報と共に暗号化データを復号化する復号化情報を受信し、復号化部は、受信部によって受信された特定情報によって、格納部に格納された暗号化データを特定し、その特定された暗号化データを、受信部によって受信された復号化情報によって復号化する。【選択図】図４
2019115016.tif 000002
【特許請求の範囲】
【請求項１】
少なくとも暗号化データを受信する受信部と、
前記受信部によって受信された前記暗号化データと前記暗号化データの関連情報とを対応付けて一時的に格納する格納部と、
前記格納部に格納された前記暗号化データを復号化する復号化部と
を備え、
前記受信部は、
前記格納部に前記暗号化データが格納された後に、前記関連情報に対応する特定情報と共に前記暗号化データを復号化する復号化情報を受信し、
前記復号化部は、
前記受信部によって受信された前記特定情報によって、前記格納部に格納された前記暗号化データを特定し、その特定された前記暗号化データを、前記受信部によって受信された前記復号化情報によって復号化する
情報処理装置。
【請求項２】
第１の無線通信による通信を行う第１の通信部と、
前記第１の無線通信とは異なる第２の無線通信による通信を行う第２の通信部と
をさらに備え、
前記受信部は、
少なくとも前記暗号化データを前記第１の通信部を介して受信し、
前記特定情報と前記復号化情報とを前記第１の通信部または前記第２の通信部を介して受信する
請求項１に記載の情報処理装置。
【請求項３】
前記第１の無線通信は、無線ローカルエリアネットワークによる通信であり、
前記第２の無線通信は、ＮＦＣ通信である
請求項２に記載の情報処理装置。
【請求項４】
暗号化データを復号化する復号化情報を一時的に格納する格納部と、
少なくとも前記暗号化データを送信した後、前記暗号化データの関連情報に対応する特定情報と共に前記格納部に格納された前記復号化情報を送信する送信部と
を備える
情報端末装置。
【請求項５】
第１の無線通信による通信を行う第１の通信部と、
前記第１の無線通信とは異なる第２の無線通信による通信を行う第２の通信部と、
をさらに備え、
前記送信部は、
少なくとも前記暗号化データを前記第１の通信部を介して送信し、
前記特定情報と前記格納部に格納された前記復号化情報とを前記第１の通信部または前記第２の通信部を介して送信する
請求項４に記載の情報端末装置。
【請求項６】
前記第１の通信部を介して少なくとも前記暗号化データを送信した後、前記特定情報と前記格納部に格納された前記復号化情報とを、前記第１の通信部と前記第２の通信部とのいずれを介して送信するかを選択させる送信選択制御部、
をさらに備える
請求項５に記載の情報端末装置。
【請求項７】
複数の前記暗号化データが存在した場合に、複数の前記暗号化データの選択順序の情報を保持する選択順序保持部、をさらに備え、
前記送信部は、前記選択順序保持部によって保持された前記選択順序の情報に基づいて複数の前記暗号化データを送信する
請求項４ないし６のいずれか１つに記載の情報端末装置。
【請求項８】
前記暗号化データと非暗号化データとが混在した場合に、前記暗号化データと前記非暗号化データとの前記送信部による送信順を選択可能に制御する出力順序制御部、をさらに備える
請求項４ないし７のいずれか１つに記載の情報端末装置。
【請求項９】
前記第１の無線通信は、無線ローカルエリアネットワークによる通信であり、
前記第２の無線通信は、ＮＦＣ通信である
請求項５ないし８のいずれか１つに記載の情報端末装置。
【請求項１０】
情報処理装置と、
前記情報処理装置に所定のデータ処理を行わせる情報端末装置と
を含み、
前記情報端末装置は、
暗号化データを復号化する復号化情報を一時的に格納する第１の格納部と、
少なくとも前記暗号化データを送信した後、前記暗号化データの関連情報に対応する特定情報と共に前記第１の格納部に格納された前記復号化情報を送信する送信部と
を備え、
前記情報処理装置は、
少なくとも前記暗号化データを受信する受信部と、
前記受信部によって受信された前記暗号化データと前記暗号化データの関連情報とを対応付けて一時的に格納する第２の格納部と、
前記第２の格納部に格納された前記暗号化データを復号化する復号化部と
を備え、
前記受信部は、
前記第２の格納部に前記暗号化データが格納された後に、前記特定情報と共に前記復号化情報を受信し、
前記復号化部は、
前記受信部によって受信された前記特定情報によって、前記格納部に格納された前記暗号化データを特定し、その特定された前記暗号化データを、前記受信部によって受信された前記復号化情報によって復号化する
情報処理システム。
【請求項１１】
前記情報端末装置は、
第１の無線通信による通信を行う第１の通信部と、
前記第１の無線通信とは異なる第２の無線通信による通信を行う第２の通信部と、
をさらに備え、
前記送信部は、
少なくとも前記暗号化データを前記第１の通信部を介して送信し、
前記特定情報と前記第１の格納部に格納された前記復号化情報とを前記第１の通信部または前記第２の通信部を介して送信する
請求項１０に記載の情報処理システム。
【請求項１２】
前記第１の無線通信による通信を行う第３の通信部と、
前記第２の無線通信による通信を行う第４の通信部と
をさらに備え、
前記受信部は、
少なくとも前記暗号化データを前記第３の通信部を介して受信し、
前記特定情報と前記復号化情報とを前記第３の通信部または前記第４の通信部を介して受信する
請求項１１に記載の情報処理装置。
【請求項１３】
前記情報端末装置は、
前記特定情報と前記前記復号化情報とを送信する場合に、前記画像形成装置に対してＷａｒｍ  ｕｐコマンドを送るＷａｒｍ  ｕｐコマンド送信部、をさらに備え、
前記情報処理装置は、
前記Ｗａｒｍ  ｕｐコマンドを受信した場合に、前記所定のデータ処理の実施前にＷａｒｍ  ｕｐ処理を実施するＷａｒｍ  ｕｐ処理部、をさらに備える
請求項１０ないし１２のいずれか１つに記載の情報処理システム。
【発明の詳細な説明】
【技術分野】
【０００１】
本発明は、情報処理装置、情報端末装置、および情報処理システムに関する。
【背景技術】
【０００２】
情報処理装置と、情報処理装置に情報を送信する情報端末装置とを備えた情報処理システムがある。例えば、情報処理装置を画像形成装置とし、情報端末装置から印刷を指示する情報を送信する画像処理システムがある。このような画像処理システムにおいて、情報端末装置から暗号化ＰＤＦ（Portable Document Format）ファイル等の暗号化データを画像形成装置に送信して印刷したい場合がある（特許文献１参照）。この場合、例えば、情報端末装置側で暗号化データを復号化した復号化データを送信して印刷を行う方法がある。また、情報端末装置側から暗号化データとその復号化パスワードとを、Ｗｉ−Ｆｉ（登録商標）等の同一の通信経路で送信して印刷を行う方法がある。
【先行技術文献】
【特許文献】
【０００３】
【特許文献１】特開平１１−２１２７４４号公報
【発明の概要】
【発明が解決しようとする課題】
【０００４】
上記の方法では、情報端末装置と画像形成装置との間の通信を盗聴、傍受された場合に、暗号化データの内容が漏洩してしまうおそれがある。
【０００５】
暗号化データの印刷を行う場合のセキュリティを高めることができるようにした情報処理装置、情報端末装置、および情報処理システムを提供することが望ましい。
【課題を解決するための手段】
【０００６】
本発明の一実施の形態に係る情報処理装置は、少なくとも暗号化データを受信する受信部と、受信部によって受信された暗号化データと暗号化データの関連情報とを対応付けて一時的に格納する格納部と、格納部に格納された暗号化データを復号化する復号化部とを備え、受信部は、格納部に暗号化データが格納された後に、関連情報に対応する特定情報と共に暗号化データを復号化する復号化情報を受信し、復号化部は、受信部によって受信された特定情報によって、格納部に格納された暗号化データを特定し、その特定された暗号化データを、受信部によって受信された復号化情報によって復号化するようにしたものである。
【０００７】
本発明の一実施の形態に係る情報端末装置は、暗号化データを復号化する復号化情報を一時的に格納する格納部と、少なくとも暗号化データを送信した後、暗号化データの関連情報に対応する特定情報と共に格納部に格納された復号化情報を送信する送信部とを備えたものである。
【０００８】
本発明の一実施の形態に係る情報処理システムは、情報処理装置と、情報処理装置に所定のデータ処理を行わせる情報端末装置とを含むものである。情報端末装置は、暗号化データを復号化する復号化情報を一時的に格納する第１の格納部と、少なくとも暗号化データを送信した後、関連情報に対応する特定情報と共に第１の格納部に格納された復号化情報を送信する送信部とを備える。情報処理装置は、少なくとも暗号化データを受信する受信部と、受信部によって受信された暗号化データと暗号化データの関連情報とを対応付けて一時的に格納する第２の格納部と、第２の格納部に格納された暗号化データを復号化する復号化部とを備え、受信部は、第２の格納部に暗号化データが格納された後に、特定情報と共に復号化情報を受信し、復号化部は、受信部によって受信された特定情報によって、格納部に格納された暗号化データを特定し、その特定された暗号化データを、受信部によって受信された復号化情報によって復号化する。
【発明の効果】
【０００９】
本発明の一実施の形態に係る情報処理装置、情報端末装置、または情報処理システムによれば、少なくとも暗号化データの通信を実施した後、暗号化データの関連情報に対応する特定情報と暗号化データを復号化する復号化情報との通信を実施するようにしたので、暗号化データの印刷を行う場合のセキュリティを高めることができる。
【図面の簡単な説明】
【００１０】
【図１】本発明の第１の実施の形態に係る画像処理システムの概略を示す構成図である。
【図２】第１の実施の形態に係る画像形成装置の一構成例を示すブロック図である。
【図３】第１の実施の形態に係るモバイル端末の一構成例を示すブロック図である。
【図４】第１の実施の形態におけるモバイル端末から画像形成装置へのデータ転送の動作の概略を示す説明図である。
【図５】第１の実施の形態に係るモバイル端末における印刷アプリケーションによる情報設定の画面の一例を示す説明図である。
【図６】第１の実施の形態に係るモバイル端末における印刷アプリケーション上で暗号化ＰＤＦファイルを選択したときに表示されるモバイル端末の画面の一例を示す説明図である。
【図７】第１の実施の形態に係るモバイル端末における印刷アプリケーション上で印刷指示を行ったときに表示されるモバイル端末の画面の一例を示す説明図である。
【図８Ａ】第１の実施の形態に係るモバイル端末における印刷アプリケーションによる動作の一例を示すフローチャートである。
【図８Ｂ】図８Ａに続くフローチャートである。
【図９】第２の実施の形態に係るモバイル端末の一構成例を示すブロック図である。
【図１０】第２の実施の形態に係るモバイル端末における印刷アプリケーション上でパスワードの送信手段の選択をする場合に表示されるモバイル端末の画面の一例を示す説明図である。
【図１１Ａ】第２の実施の形態に係るモバイル端末における印刷アプリケーションによる動作の一例を示すフローチャートである。
【図１１Ｂ】図１１Ａに続くフローチャートである。
【図１２】第３の実施の形態に係るモバイル端末の一構成例を示すブロック図である。
【図１３】第３の実施の形態に係るモバイル端末における印刷アプリケーション上で複数のＰＤＦファイルを選択したときに表示されるモバイル端末の画面の一例を示す説明図である。
【図１４】第３の実施の形態に係るモバイル端末における印刷アプリケーションによる動作の一例を示すフローチャートである。
【図１５】第４の実施の形態に係るモバイル端末の一構成例を示すブロック図である。
【図１６】第４の実施の形態に係るモバイル端末における印刷アプリケーション上で複数のＰＤＦファイルを選択したときに表示されるモバイル端末の画面の一例を示す説明図である。
【図１７】第４の実施の形態に係るモバイル端末における印刷アプリケーション上で暗号化／非暗号化のファイルを同時に出力させるか否かを選択する場合に表示されるモバイル端末の画面の一例を示す説明図である。
【図１８Ａ】第４の実施の形態に係るモバイル端末における印刷アプリケーションによる動作の一例を示すフローチャートである。
【図１８Ｂ】図１８Ａに続くフローチャートである。
【図１９】第５の実施の形態に係る画像形成装置の一構成例を示すブロック図である。
【図２０】第５の実施の形態に係るモバイル端末の一構成例を示すブロック図である。
【図２１】第５の実施の形態に係るモバイル端末における印刷アプリケーションによる動作の一例を示すフローチャートである。
【図２２】第５の実施の形態に係る画像形成装置による動作の一例を示すフローチャートである。
【発明を実施するための形態】
【００１１】
以下、本発明の実施の形態について図面を参照して詳細に説明する。なお、説明は以下の順序で行う。
１．第１の実施の形態
１．１  構成
１．２  動作
１．３  効果
２．第２の実施の形態
２．１  構成
２．２  動作
２．３  効果
３．第３の実施の形態
３．１  構成
３．２  動作
３．３  効果
４．第４の実施の形態
４．１  構成
４．２  動作
４．３  効果
５．第５の実施の形態
５．１  構成
５．２  動作
５．３  効果
６．その他の実施の形態
【００１２】
＜１．第１の実施の形態＞
（概要）
従来、モバイル端末の印刷アプリケーションから暗号化データとして例えば暗号化ＰＤＦファイルを選択して画像形成装置に対して印刷を実行させたい場合、印刷アプリケーションはファイル選択時に入力されたＰＤＦパスワードを保持しておく。そして、印刷実行時に、そのＰＤＦパスワードを暗号化ＰＤＦへ付加し、例えばＷｉ−Ｆｉ（以下、「Ｗｉｆｉ」と記す）経由で画像形成装置へダイレクトにファイルを送信して印刷を行う方法がある。
【００１３】
しかし、上記の方法では暗号化ＰＤＦファイルと復号化のパスワードとを例えばＷｉｆｉ通信経由で画像形成装置へペアで送信し印刷してしまうため、通信を盗聴、傍受された場合に暗号化ＰＤＦファイルの内容が漏洩してしまうというリスクがある。
【００１４】
本実施の形態では、上記の課題を解決するために、印刷アプリケーション上に暗号化ＰＤＦファイルの印刷時に有効となる専用のモード（以下、「セキュリティモード」と称する）を設ける。その設定に従い暗号化ＰＤＦファイルはセキュアプリント（暗号化認証印刷）として例えばＷｉｆｉ通信経由で画像形成装置へ登録する。暗号化ＰＤＦファイルの印刷（暗号化ＰＤＦ印刷）のためのパスワードとセキュアプリントのユーザ名／パスワードは、モバイル端末から例えばＮＦＣ通信（Near Field Communication、近距離無線通信）により画像形成装置に送信し、印刷を行わせる。これにより、従来技術に対して暗号化ＰＤＦファイルを印刷する際のセキュリティを高く保つことができる。
【００１５】
［１．１  構成］
図１は、本発明の第１の実施の形態に係る画像処理システムの概略構成を示している。
【００１６】
本実施の形態は、情報処理装置と、情報処理装置に印刷データを送信する情報端末装置とを含む情報処理システムに関する。本実施の形態では、情報処理システムの一例として、図１に示したように、情報処理装置を画像形成装置２０１とし、情報端末装置をモバイル端末３０１とした画像処理システム（印刷システム）について説明する。また、情報処理システムが扱うデータ処理のデータの一例として印刷ジョブ（印刷データ）、データ処理の一例として印刷処理を行う場合を例に説明する。また、本実施の形態では、情報端末装置が接続する接続拠点が、無線ローカルエリアネットワーク（ＬＡＮ）である場合を例に説明する。特に、Ｗｉｆｉ通信による無線ローカルエリアネットワークの例を説明する。また、本実施の形態では、暗号化データの一例として、暗号化ＰＤＦファイルの例を説明する。上記したセキュアプリントのユーザ名／パスワードは、本発明における暗号化データの関連情報の一具体例に相当する。本発明における関連情報に対応する特定情報は、例えばセキュアプリントのユーザ名に対応する。また、本発明における暗号化データを復号化する復号化情報は、暗号化ＰＤＦファイルのパスワードに対応する。
【００１７】
画像形成装置２０１は、Ｗｉｆｉ通信部２０３と、ＮＦＣ通信部２０４とを備えている。モバイル端末３０１は、Ｗｉｆｉ通信部３０５と、ＮＦＣ通信部３０４とを備えている。これにより、モバイル端末３０１と画像形成装置２０１は、少なくとも、Ｗｉｆｉ通信とＮＦＣ通信とを選択的に使用した相互通信が可能となっている。Ｗｉｆｉ通信部２０３は、本発明における情報処理装置の第１の通信部（または第３の通信部）の一具体例に相当する。ＮＦＣ通信部２０４は、本発明における情報処理装置の第２の通信部（または第４の通信部）の一具体例に相当する。Ｗｉｆｉ通信部３０５は、本発明における情報端末装置の第１の通信部の一具体例に相当する。ＮＦＣ通信部３０４は、本発明における情報端末装置の第２の通信部の一具体例に相当する。
【００１８】
（画像形成装置２０１の構成）
図２は、第１の実施の形態に係る画像形成装置２０１の一構成例を示している。
【００１９】
画像形成装置２０１は、ＴＣＰ／ＩＰ（有線）通信部２０２と、Ｗｉｆｉ通信部２０３と、ＮＦＣ通信部２０４と、通信処理部２０５とを備えている。
【００２０】
ＴＣＰ／ＩＰ通信部２０２は、有線による通信を行う有線通信部である。ＴＣＰ／ＩＰ通信部２０２、Ｗｉｆｉ通信部２０３、およびＮＦＣ通信部２０４は、通信処理部２０５を介して、それそれ情報通信を行う。
【００２１】
画像形成装置２０１は、さらに、データ送受信部２０６と、パネル操作部２０７と、セキュアプリント制御部２０８と、記憶部２１２と、印刷データ処理部２１３と、印刷出力部２１４とを備えている。
【００２２】
データ送受信部２０６は、通信処理部２０５との間でデータのやり取りを行う。パネル操作部２０７は、画像形成装置２０１のオペレーションパネル上から装置設定等のオペレーションを行う。データ送受信部２０６は、本発明における受信部の一具体例に相当する。データ送受信部２０６は、受信部の機能として、暗号化データ（暗号化ＰＤＦファイル）と暗号化データの関連情報（セキュアプリントのユーザ名／パスワード）とを受信する機能を有する。また、データ送受信部２０６は、受信部の機能として、記憶部２１２に暗号化データが格納された後に、関連情報に対応する特定情報（セキュアプリントのユーザ名）と共に暗号化データを復号化する復号化情報（暗号化ＰＤＦファイルのパスワード）を受信する機能を有する。データ送受信部２０６は、受信部の機能として、暗号化データと関連情報とをＷｉｆｉ通信部２０３を介して受信し、特定情報と復号化情報とをＷｉｆｉ通信部２０３またはＮＦＣ通信部２０４を介して受信する機能を有する。
【００２３】
セキュアプリント制御部２０８は、例えばＣＰＵ（Central Processing Unit）を含んで構成され、セキュアプリントに関する各種の機能を実行する。セキュアプリント制御部２０８は、データ登録部２０９と、データ取得部２１０と、認証実行部２１１とを有している。セキュアプリント制御部２０８は、データ登録部２０９でデータ送受信部２０６とにより渡されてきたセキュアプリントの印刷データとユーザ名／パスワードとを記憶部２１２へ登録する。
【００２４】
データ取得部２１０は、本発明における復号化部の一具体例に相当する。データ取得部２１０は、データ送受信部２０６によって受信された特定情報によって、記憶部２１２に格納された暗号化データを特定し、その特定された暗号化データを、データ送受信部２０６によって受信された復号化情報によって復号化する機能を有する。データ取得部２１０は、セキュアプリントの認証が認証実行部２１１により行われ、認証の結果が正しい場合に記憶部２１２からセキュアプリントの印刷データを取得し、印刷データ処理部２１３へ印刷データの投入を行う。
【００２５】
認証実行部２１１は、セキュアプリントのユーザ名／パスワードが正しいか否かの認証処理を行う。
【００２６】
記憶部２１２は、本発明における情報処理装置の格納部（第２の格納部）の一具体例に相当する。記憶部２１２は、データ送受信部２０６によって受信された暗号化データと暗号化データの関連情報とを対応付けて一時的に格納する。記憶部２１２は、各種の情報を保存する記録媒体であり、記録媒体の形式は特に限定されない。記憶部２１２は、例えば暗号化データを含むセキュアプリントの印刷データとユーザ名／パスワードのデータ等を一時的に記憶する。
【００２７】
印刷データ処理部２１３は、投入された印刷データの処理を行い、処理結果を印刷出力部２１４へ渡す。印刷出力部２１４は、印刷出力を行う。
【００２８】
(モバイル端末３０１の構成)
図３は、第１の実施の形態に係るモバイル端末３０１の一構成例を示している。
【００２９】
モバイル端末３０１は、例えばタブレット端末やスマートフォン等の携帯機器である。モバイル端末３０１は、操作部３０２と、表示部３０３と、ＮＦＣ通信部３０４と、Ｗｉｆｉ通信部３０５と、記憶部３０６と、印刷アプリケーション部３０７とを備えている。
【００３０】
操作部３０２は、ユーザによるモバイル端末３０１の操作を受け付ける。
【００３１】
表示部３０３は、印刷に関する各種の情報やモバイル端末３０１の状態等を表示する画面を有する。
【００３２】
記憶部３０６は、各種の情報を保存する記録媒体であり、記録媒体の形式は特に限定されない。記憶部３０６は、例えば印刷データ等を格納する。
【００３３】
印刷アプリケーション部３０７は、例えばＣＰＵを含んで構成され、印刷実行に関する各種の機能（印刷アプリケーション）を提供する。印刷アプリケーション部３０７は、アプリケーション設定部３０８と、印刷データ生成部３０９と、印刷設定部３１０と、表示制御部３１１と、ＰＤＦパスワード保持部３１２と、データ送信部３１３と、印刷指示部３１４とを備えている。
【００３４】
印刷アプリケーション部３０７は、アプリケーション設定部３０８によって、例えば後述する図５に示したようなユーザ情報の設定（５０１、５０２）や暗号化ＰＤＦファイルのセキュリティモードの設定（５０３）を行う。
【００３５】
表示制御部３１１は、表示部３０３に、記憶部３０６から読み出した印刷ファイルの一覧を表示や、ユーザへのオペレーションの指示画面の表示等を行う。
【００３６】
ＰＤＦパスワード保持部３１２は、本発明における情報端末装置の格納部（第１の格納部）の一具体例に相当する。ＰＤＦパスワード保持部３１２は、後述する図６の６０１に示したようにして、印刷ファイル選択時に暗号化ＰＤＦファイルが選択された場合に、後述する図６の６０２に示したような形で入力されたＰＤＦのパスワードを一時的に保持しておく役割を持つ。
【００３７】
データ送信部３１３は、本発明における情報端末装置の送信部の一具体例に相当する。データ送信部３１３は、暗号化データと暗号化データの関連情報（セキュアプリントのユーザ名／パスワード）とを送信した後、関連情報に対応する特定情報と共にＰＤＦパスワード保持部３１２に格納された復号化情報（暗号化ＰＤＦファイルのパスワード）を送信する機能を有する。データ送信部３１３は、暗号化データと関連情報とをＷｉｆｉ通信部３０５を介して送信し、特定情報とＰＤＦパスワード保持部３１２に格納された復号化情報とをＷｉｆｉ通信部３０５またはＮＦＣ通信部３０４を介して送信する機能を有する。印刷データ生成部３０９は、選択されたファイルが印刷指示部３１４から印刷指示されると、その選択されたファイルを印刷設定部３１０の設定（用紙サイズ、部数等）の情報に従い印刷データの生成を行う。印刷データは、データ送信部３１３がＷｉｆｉ通信部３０５またはＮＦＣ通信部３０４経由で画像形成装置２０１へデータ送信を行う。
【００３８】
［１．２  動作］
次に、図４〜図７、および図８Ａ，図８Ｂを参照して、第１の実施の形態に係る画像処理システムの動作を説明する。
【００３９】
図４は、モバイル端末３０１から画像形成装置２０１へのデータ転送の動作の概略を示している。図５は、モバイル端末３０１における印刷アプリケーションによる情報設定の画面の一例を示している。図６は、モバイル端末３０１における印刷アプリケーション上で、暗号化ＰＤＦファイルを選択したときに表示されるモバイル端末３０１の画面の一例を示している。図７は、モバイル端末３０１における印刷アプリケーション上で印刷指示を行ったときに表示されるモバイル端末３０１の画面の一例を示している。図８Ａは、モバイル端末３０１における印刷アプリケーションによる動作の一例を示している。図８Ｂは、図８Ａに続くフローチャートである。
【００４０】
図８Ａにおいて、ステップＳ８０１では、モバイル端末３０１上で印刷アプリケーション部３０７の機能によって、印刷アプリケーションを起動する。ステップＳ８０２では、ユーザによって、印刷アプリケーション上で印刷ファイルが選択される。ファイルの一覧は、図６に示した形でモバイル端末３０１上に表示される。
【００４１】
ステップＳ８０３では、印刷アプリケーション部３０７の機能によって、選択したファイルが暗号化ＰＤＦファイルか否かの判断処理を行う。モバイル端末３０１は、選択したファイルが暗号化ＰＤＦファイルの場合はステップＳ８０４の処理へ移行し、暗号化ＰＤＦファイルの場合はステップＳ８０５の処理へ移行する。選択したファイルが暗号化ＰＤＦファイルでない場合は、ステップＳ８０４に進み、印刷アプリケーション部３０７の機能によって、通常のモバイル端末３０１からの印刷が行われる。選択されたファイルが暗号化ＰＤＦファイルだった場合は、ステップＳ８０５に進み、印刷アプリケーション部３０７の機能によって、図６の６０２に示したようにＰＤＦのパスワード入力画面が表示され、ユーザによってパスワードの入力が行われる。
【００４２】
ステップＳ８０６では、印刷アプリケーション部３０７の機能によって、暗号化ＰＤＦファイルのセキュリティモードの設定が有効か否かの判断処理を行う。セキュリティモードの設定は印刷アプリケーション上で図５の５０３に示したような形で指定ができる。セキュリティモードが無効の場合は、ステップＳ８０７に進み、印刷アプリケーション部３０７の機能によって、選択された暗号化ＰＤＦファイルとステップＳ８０５で入力されたＰＤＦパスワードとをＷｉｆｉ通信経由で画像形成装置２０１へ送信し、印刷を行う。セキュリティモードが有効の場合は、ステップＳ８０８に進み、印刷アプリケーション部３０７の機能によって、印刷ジョブをセキュアプリント（暗号化認証印刷）に設定しステップＳ８０９の処理へ移行する。
【００４３】
ステップＳ８０９では、印刷アプリケーション部３０７の機能によって、印刷アプリケーション上でセキュアプリントに使用されているユーザ名／パスワードが設定されているかの判断処理を行う。ユーザ名／パスワードの設定は、印刷アプリケーション部３０７の機能によって、図５の５０２に示したような形でアプリケーション上で設定が可能である。印刷アプリケーション上でユーザ名／パスワードが未設定の場合、ステップＳ８１０に進み、印刷アプリケーション部３０７の機能によって、セキュアプリントのユーザ名／パスワードの入力は手動で入力が行われる。
【００４４】
印刷アプリケーション上でユーザ名／パスワードが設定済みの場合、ステップＳ８１１に進み、印刷アプリケーション部３０７の機能によって、セキュアプリントのユーザ名／パスワードにはアプリケーション上で設定されている設定が使用される。
【００４５】
ステップＳ８１２では、ユーザによって図７に示したような形でプリントボタン（７０２）が押下されると、印刷アプリケーション部３０７の機能によって、選択したファイルの印刷が行われる。ユーザが印刷には関連しないがプレビューボタン（７０１）を押下すると、印刷アプリケーション部３０７の機能によって、印刷のプレビューが表示される。
ステップＳ８１３では、印刷指示後、Ｗｉｆｉ通信経由で暗号化ＰＤＦファイルとセキュアプリントのユーザ名／パスワードが画像形成装置２０１へ送信される。例えば図４の４０１に示したような形でデータが送信される。
【００４６】
ステップＳ８１４では、ファイル送信後、印刷アプリケーション部３０７の機能によって、図７の７０３のようにモバイル端末３０１上に画像形成装置２０１のＮＦＣ通信部２０４へモバイル端末３０１をかざす指示が表示される。
【００４７】
ステップＳ８１５では、モバイル端末３０１は、画像形成装置２０１のＮＦＣ通信部２０４へモバイル端末３０１をかざされた否かを判断し、かざされた場合は、ステップＳ８１６に進む。ステップＳ８１６では、モバイル端末３０１は、図４の４０２に示したように、画像形成装置２０１へ暗号化ＰＤＦファイルのパスワードとセキュアプリントのユーザ名／パスワードとをＮＦＣ通信経由で画像形成装置２０１に送る。画像形成装置２０１では、暗号化ＰＤＦファイルのパスワードとセキュアプリントのユーザ名／パスワード取得後、印刷が行われる。
【００４８】
［１．３  効果］
以上のように、本実施の形態では、モバイル端末３０１上の印刷アプリケーションの暗号化ＰＤＦファイルの印刷のセキュリティモードの設定により、暗号化ＰＤＦファイルはＷｉｆｉ送信で画像形成装置２０１へセキュアプリントとして送信される。暗号化ＰＤＦファイルのパスワードとセキュアプリントのユーザ名／パスワードは、ＮＦＣ通信により画像形成装置２０１に送られることにより、画像形成装置２０１側で暗号化ＰＤＦファイルの復号化が行われ、印刷が行われる。これにより、暗号化ＰＤＦファイルのセキュリティを高く保つことができる。
【００４９】
＜２．第２の実施の形態＞
次に、本発明の第２の実施の形態に係る画像処理システムについて説明する。なお、以下では、上記第１の実施の形態に係る画像処理システムの構成要素と略同じ部分については、同一符号を付し、適宜説明を省略する。
【００５０】
［２．１  構成］
図９は、第２の実施の形態に係るモバイル端末３０１Ａの一構成例を示している。
【００５１】
第２の実施の形態では、モバイル端末３０１Ａの印刷アプリケーション上で暗号化ＰＤＦファイルの印刷指示後に、ＰＤＦのパスワード送信手段をユーザに選択させる例について説明する。
【００５２】
以下では、上記第１の実施の形態との相違点の説明を主に行い、上記第１の実施の形態と同様の機能を有する構成要素については、上記第１の実施の形態と同様の名称、符号を付し、その説明を省略する。
【００５３】
第２の実施の形態における画像形成装置２０１の構成は、上記第１の実施の形態の構成（図２）と同様のため説明を省略する。
【００５４】
第２の実施の形態に係るモバイル端末３０１Ａは、上記第１の実施の形態の構成（図３）に対して、印刷アプリケーション部３０７の構成が一部異なっている。第２の実施の形態に係るモバイル端末３０１Ａでは、印刷アプリケーション部３０７が、ＰＤＦパスワード送信手段制御部３１５をさらに有している。
【００５５】
ＰＤＦパスワード送信手段制御部３１５は、本発明における送信選択制御部の一具体例に相当する。ＰＤＦパスワード送信手段制御部３１５は、ＮＦＣ通信部３０４を介して暗号化データと関連情報とを送信した後、特定情報とＰＤＦパスワード保持部３１２に格納された復号化情報とを、Ｗｉｆｉ通信部３０５とＮＦＣ通信部３０４とのいずれを介して送信するかを選択させる機能を有する。ＰＤＦパスワード送信手段制御部３１５は、印刷指示部３１４からの印刷指示後にユーザに暗号化ＰＤＦファイルのパスワード送信手段を選択させる制御を行う。
【００５６】
［２．２  動作］
次に、図１０、および図１１Ａ，図１１Ｂを参照して、第２の実施の形態に係る画像処理システムの動作を説明する。
【００５７】
図１０は、モバイル端末３０１Ａにおける印刷アプリケーション上でパスワードの送信手段の選択をする場合に表示されるモバイル端末３０１Ａの画面の一例を示している。図１１Ａは、モバイル端末３０１Ａにおける印刷アプリケーションによる動作の一例を示している。図１１Ｂは、図１１Ａに続くフローチャートである。
【００５８】
図１１Ａ，図１１Ｂのフローチャートにおいて、上記第１の実施の形態（図８Ａ，図８Ｂ）と同様の処理を行う部分については、同一のステップ番号を付し、説明を省略する。
【００５９】
図１１Ａ，図１１Ｂのフローチャートにおいて、ステップＳ８０１〜Ｓ８１３までの処理は、上記第１の実施の形態（図８Ａ，図８Ｂ）と同様である。
【００６０】
ステップＳ８１３においてＷｉｆｉ通信経由で暗号化ＰＤＦファイルを送信した後、モバイル端末３０１Ａでは、ステップＳ８１３Ａの処理を行う。ステップＳ８１３Ａでは、印刷アプリケーション部３０７の機能によって、図１０に示した画面を表示し、暗号化ＰＤＦファイルのパスワード送信手段の選択処理を行う。
【００６１】
Ｗｉｆｉ送信が選択された場合（図１０の１００１）は、ステップＳ８１３Ｂに進み、印刷アプリケーション部３０７の機能によって、Ｗｉｆｉ通信経由でＰＤＦパスワードを画像形成装置２０１へ送信する。
【００６２】
かざして送信が選択された場合（図１０の１００２）は、ステップＳ８１４に進む。ステップＳ８１４以降の処理は、上記第１の実施の形態（図８Ｂ）と同様である。
【００６３】
［２．３  効果］
以上のように、本実施の形態によれば、第１の実施の形態に係る画像処理システムに対して、印刷指示後に暗号化ＰＤＦファイルのパスワード送信手段をユーザに選択させるため、セキュリティを保ったままユーザの利便性を向上させることができる。
【００６４】
その他の構成、動作、ならびに効果は、上記第１の実施の形態に係る画像処理システムと略同様であってもよい。
【００６５】
＜３．第３の実施の形態＞
次に、本発明の第３の実施の形態に係る画像処理システムについて説明する。なお、以下では、上記第１または第２の実施の形態に係る画像処理システムの構成要素と略同じ部分については、同一符号を付し、適宜説明を省略する。
【００６６】
［３．１  構成］
図１２は、第３の実施の形態に係るモバイル端末３０１Ｂの一構成例を示している。
【００６７】
第３の実施の形態では、モバイル端末３０１Ｂの印刷アプリケーション上で暗号化ＰＤＦファイルを含む複数ファイルを同時に選択し、選択順序に従い印刷を行わせる例について説明する。
【００６８】
以下では、上記第１の実施の形態との相違点の説明を主に行い、上記第１の実施の形態と同様の機能を有する構成要素については、上記第１の実施の形態と同様の名称、符号を付し、その説明を省略する。
【００６９】
第３の実施の形態における画像形成装置２０１の構成は、上記第１の実施の形態の構成（図２）と同様のため説明を省略する。
【００７０】
第３の実施の形態に係るモバイル端末３０１Ｂは、上記第１の実施の形態の構成（図３）に対して、印刷アプリケーション部３０７の構成が一部異なっている。第３の実施の形態に係るモバイル端末３０１Ｂでは、印刷アプリケーション部３０７が、ファイル選択順序保持部３１６をさらに有している。
【００７１】
ファイル選択順序保持部３１６は、本発明における選択順序保持部の一具体例に相当する。ファイル選択順序保持部３１６は、複数の暗号化データが存在した場合に、複数の暗号化データの選択順序の情報を保持する機能を有する。例えば、ファイル選択順序保持部３１６は、図１３の１３０１に示したように印刷ファイルの選択順序を保持する。データ送信部３１３は、印刷指示部３１４から印刷指示したタイミングで、ファイル選択順序保持部３１６によって保持された選択順序に基づいて、画像形成装置２０１に対して印刷データを送信する。
【００７２】
［３．２  動作］
次に、図１３、および図１４を参照して、第３の実施の形態に係る画像処理システムの動作を説明する。
【００７３】
図１３は、モバイル端末３０１Ｂにおける印刷アプリケーション上で複数のＰＤＦファイルを選択したときに表示されるモバイル端末３０１Ｂの画面の一例を示している。図１４は、モバイル端末３０１Ｂにおける印刷アプリケーションによる動作の一例を示している。
【００７４】
図１４において、ステップＳ１４０１では、モバイル端末３０１上で印刷アプリケーション部３０７の機能によって、印刷アプリケーションを起動する。ステップＳ１４０２では、ユーザによって、モバイル端末３０１Ｂの印刷アプリケーション上で印刷ファイルを選択する。
【００７５】
ステップＳ１４０３では、印刷アプリケーション部３０７の機能によって、選択したファイルが暗号化ＰＤＦファイルか否かの判断処理を行う。選択したファイルが暗号化ＰＤＦファイルでない場合はステップＳ１４０５の処理へ移行し、暗号化ＰＤＦファイルの場合はステップＳ１４０４の処理へ移行する。
【００７６】
暗号化ＰＤＦファイルを選択した場合は、ステップＳ１４０４に進み、印刷アプリケーション部３０７の機能によって、暗号化ＰＤＦファイルのパスワード入力を行い、ステップＳ１４０５の処理へ移行する。ステップＳ１４０５では、印刷アプリケーション部３０７の機能によって、選択したファイルの選択順序の情報を保持する。
【００７７】
ステップＳ１４０６では、印刷アプリケーション部３０７の機能によって、印刷するファイルの選択を完了するか否かの判断処理を行う。ファイル選択が完了した場合は、ステップＳ１４０７の処理へ移行し、ファイル選択が完了していない場合はファイル選択を継続する。
【００７８】
ステップＳ１４０７では、ファイル選択完了後、印刷アプリケーション部３０７の機能によって、選択したファイルの選択順序に従い印刷指示を行う。ステップＳ１４０８では、印刷アプリケーション部３０７の機能によって、印刷指示に従い、選択したファイルを選択順序に従いＷｉｆｉ通信経由でプリン夕へ送信する。印刷データ送信後、モバイル端末３０１Ｂ上には、印刷アプリケーション部３０７の機能によって、図１３の１３０２に示したようなファイルを選択した順番に従い印刷している旨のメッセージが表示される。
【００７９】
［３．３  効果］
以上のように、本実施の形態によれば、ファイルの一覧から複数ファイルを選択し印刷させる場合に、印刷ファイルの出力順序をユーザに選択できるようなるためユーザの利便性が向上する。
【００８０】
その他の構成、動作、ならびに効果は、上記第１の実施の形態に係る画像処理システムと略同様であってもよい。
【００８１】
＜４．第４の実施の形態＞
次に、本発明の第４の実施の形態に係る画像処理システムについて説明する。なお、以下では、上記第１ないし第３の実施の形態に係る画像処理システムの構成要素と略同じ部分については、同一符号を付し、適宜説明を省略する。
【００８２】
［４．１  構成］
図１５は、第４の実施の形態に係るモバイル端末３０１Ｃの一構成例を示している。
【００８３】
第４の実施の形態では、モバイル端末３０１Ｃの印刷アプリケーション上で暗号化／非暗号化のファイルが混在して選択された場合に、選択したファイルを同時に出力させるか否かを切り替える仕組みの例を示す。そして、選択順序に従い印刷を行わせる例について説明する。
【００８４】
以下では、上記第１の実施の形態との相違点の説明を主に行い、上記第１の実施の形態と同様の機能を有する構成要素については、上記第１の実施の形態と同様の名称、符号を付し、その説明を省略する。
【００８５】
第４の実施の形態における画像形成装置２０１の構成は、上記第１の実施の形態の構成（図２）と同様のため説明を省略する。
【００８６】
第４の実施の形態に係るモバイル端末３０１Ｃは、上記第１の実施の形態の構成（図３）に対して、印刷アプリケーション部３０７の構成が一部異なっている。第４の実施の形態に係るモバイル端末３０１Ｃでは、印刷アプリケーション部３０７が、ファイル出力順序制御部３１７をさらに有している。
【００８７】
ファイル出力順序制御部３１７は、本発明における情報端末装置の出力順序制御部の一具体例に相当する。ファイル出力順序制御部３１７は、暗号化データと非暗号化データとが混在した場合に、暗号化データと非暗号化データとのデータ送信部３１３による送信順を選択可能に制御する機能を有する。例えば、ファイル出力順序制御部３１７は、図１６に示したように選択され、印刷指示部３１４から印刷指示があった場合に、暗号化／非暗号化のファイルを同時に出力させるか否かの判断処理を行わせる。
【００８８】
［４．２  動作］
次に、図１６、図１７および図１８Ａ，図１８Ｂを参照して、第４の実施の形態に係る画像処理システムの動作を説明する。
【００８９】
図１６は、モバイル端末３０１Ｃにおける印刷アプリケーション上で複数のＰＤＦファイルを選択したときに表示されるモバイル端末の画面の一例を示している。図１７は、モバイル端末３０１Ｃにおける印刷アプリケーション上で暗号化／非暗号化のファイルを同時に出力させるか否かを選択する場合に表示されるモバイル端末の画面の一例を示している。図１８Ａは、モバイル端末３０１Ｃにおける印刷アプリケーションによる動作の一例を示している。図１８Ｂは、図１８Ａに続くフローチャートである。
【００９０】
図１８Ａにおいて、ステップＳ１８０１では、モバイル端末３０１上で印刷アプリケーション部３０７の機能によって、印刷アプリケーションを起動する。ステップＳ１８０２では、ユーザによって、印刷アプリケーション上で印刷ファイルが選択される。
【００９１】
ステップＳ１８０３では、印刷アプリケーション部３０７の機能によって、選択したファイルが暗号化ＰＤＦファイルか否かの判断処理を行う。選択したファイルが暗号化ＰＤＦファイルでない場合は、ステップＳ１８０５の処理へ移行し、暗号化ＰＤＦファイルの場合はステップＳ１８０４の処理へ移行する。
【００９２】
暗号化ＰＤＦファイルを選択した場合は、ステップＳ１８０４に進み、印刷アプリケーション部３０７の機能によって、暗号化ＰＤＦファイルのパスワード入力を行い、ステップＳ１８０５の処理へ移行する。テップＳ１８０５では、印刷アプリケーション部３０７の機能によって、選択したファイルの選択順序の情報を保持する。
【００９３】
ステップＳ１８０６では、印刷アプリケーション部３０７の機能によって、印刷するファイルの選択を完了するか否かの判断処理を行う。ファイル選択が完了した場合は、１４０７の処理へ移行し、ファイル選択が完了していない場合はファイル選択を継続する。ステップＳ１８０７では、ファイル選択完了後、印刷アプリケーション部３０７の機能によって、選択したファイルの選択順序に従い印刷指示を行う。
【００９４】
ステップＳ１８０８では、印刷アプリケーション部３０７の機能によって、選択されたファイルが暗号化／非暗号化のファイルで混在しているか否かの判断処理を行う。暗号化／非暗号化のファイルが混在して選択されている例を図１６に示す。
【００９５】
ファイルが混在していない場合は、ステップＳ１８０９に進み、印刷アプリケーション部３０７の機能によって、選択されたファイルが暗号化ＰＤＦファイルの場合はセキュアプリントとしてファイルを登録しかざして印刷を行わせ、非暗号化のファイルが選択された場合は選択されたファイルを画像形成装置２０１に送信する。
【００９６】
ステップＳ１８１０では、印刷アプリケーション部３０７の機能によって、暗号化／非暗号化のファイルを同時に出力させるか否かの判断処理を行う。同時に出力させない場合は、ステップＳ１８１１の処理へ移行し、同時に出力させる場合はステップＳ１８１２の処理へ移行する。モバイル端末３０１Ｃ上の画面の例を図１７の１７０１、１７０２に示す。
【００９７】
同時に出力させない場合は、ステップＳ１８１１にへ進み、印刷アプリケーション部３０７の機能によって、非暗号化ＰＤＦファイルをＷｉｆｉ通信経由で先行して印刷させ、暗号化ＰＤＦファイルはセキュアプリントとして登録し、かざして印刷を行わせる。モバイル端末３０１Ｃ上の画面の例を図１７の１７０４に示す。
【００９８】
ステップＳ１８１２では、印刷アプリケーション部３０７の機能によって、同時に出力させないとした場合（図１７の１７０２）の暗号化ＰＤＦファイルと、同時に出力させるとした場合（図１７の１７０１）のファイルに関しては印刷ジョブをセキュアプリント（暗号化認証印刷）に設定しステップＳ１８１３の処理へ移行する。
【００９９】
以降のステップＳ１８１３〜Ｓ１８１９の処理は、上記第１の実施の形態（図８Ａ、図８Ｂ）のステップＳ８０９〜Ｓ８１６の処理と同様である。
【０１００】
［４．３  効果］
以上のように、本実施の形態によれば、複数ファイルを選択して印刷を行った場合に、暗号ＰＤＦファイルと非暗号化ファイルが混在して選択されたケースで、印刷出力結果の取得を同時に行うことができるためユーザの利便性が向上する。
【０１０１】
その他の構成、動作、ならびに効果は、上記第１の実施の形態に係る画像処理システムと略同様であってもよい。
【０１０２】
＜５．第５の実施の形態＞
次に、本発明の第５の実施の形態に係る画像処理システムについて説明する。なお、以下では、上記第１ないし第４の実施の形態に係る画像処理システムの構成要素と略同じ部分については、同一符号を付し、適宜説明を省略する。
【０１０３】
［５．１  構成］
図１９は、第５の実施の形態に係る画像形成装置２０１Ａの一構成例を示している。  図２０は、第５の実施の形態に係るモバイル端末３０１Ｄの一構成例を示している。
【０１０４】
第５の実施の形態では、モバイル端末３０１Ｄが画像形成装置２０１ＡのＮＦＣ通信部２０４にかざされ、モバイル端末３０１Ｄと画像形成装置２０１Ａとの間で通信が行われたときに、画像形成装置２０１Ａがモバイル端末３０１Ｄ側のアプリケーションの種別を判断する。印刷に関連するアプリケーションだった場合、画像形成装置２０１Ａは、Ｗａｒｍ  ｕｐ処理をさせてから印刷データの処理を行わせ、即座に印刷結果を取得させる。
【０１０５】
以下では、上記第１の実施の形態との相違点の説明を主に行い、上記第１の実施の形態と同様の機能を有する構成要素については、上記第１の実施の形態と同様の名称、符号を付し、その説明を省略する。
【０１０６】
第５の実施の形態に係る画像形成装置２０１Ａは、上記第１の実施の形態の構成（図２）に対して、Ｗａｒｍ  ｕｐ処理部２１５と、通信アプリケーション識別部２１６とをさらに備えている。なお、上記第１の実施の形態に係る画像形成装置２０１においても、Ｗａｒｍ  ｕｐ処理部２１５を備えていてもよい。
【０１０７】
通信アプリケーション識別部２１６は、モバイル端末３０１Ｄと画像形成装置２０１Ａとの間でＮＦＣ通信が行われた場合に、モバイル端末３０１Ｄ側のアプリケーションが印刷に関連するアプリケーションの場合にＷａｒｍ  ｕｐ処理部２１５へＷａｒｍ  ｕｐ処理の指示を行う。またＷａｒｍ  ｕｐ処理部２１５はモバイル端末３０１Ｄ側からＷａｒｍ  ｕｐコマンドが送信された場合にも動作する。
【０１０８】
第５の実施の形態に係るモバイル端末３０１Ｄは、上記第１の実施の形態の構成（図３）に対して、印刷アプリケーション部３０７の構成が一部異なっている。第５の実施の形態に係るモバイル端末３０１Ｄでは、印刷アプリケーション部３０７が、Ｗａｒｍ  ｕｐコマンド送信部３１８をさらに有している。
【０１０９】
Ｗａｒｍ  ｕｐコマンド送信部３１８は、画像形成装置２０１ＡとＮＦＣ通信が行われた場合に、Ｗａｒｍ  ｕｐ指示コマンドを画像形成装置２０１Ａ側に指示し、その後印刷指示を行う。
【０１１０】
［５．２  動作］
まず、モバイル端末３０１Ｄの動作を図２１のフローチャートを用いて説明する。
【０１１１】
ステップＳ２１０１では、モバイル端末３０１上で印刷アプリケーション部３０７の機能によって、印刷アプリケーションを起動する。ステップＳ２１０２では、ユーザによって、印刷アプリケーション上で印刷ファイルが選択される。ステップＳ２１０３では、印刷アプリケーション部３０７の機能によって、、選択した印刷ファイルの送信を行う。
【０１１２】
ステップＳ２１０４では、ファイル送信後、印刷アプリケーション部３０７の機能によって、モバイル端末３０１Ｄ上に画像形成装置２０１ＡのＮＦＣ通信部２０４へモバイル端末３０１Ｄをかざす指示が表示される。
【０１１３】
ステップＳ２１０５では、画像形成装置２０１ＡのＮＦＣ通信部２０４へモバイル端末３０１Ｄをかざす。ステップＳ２１０６では、モバイル端末３０１Ｄ上の印刷アプリケーションは画像形成装置２０１Ａに対してＷａｒｍ  ｕｐコマンドを送信する。ステップＳ２１０７では、印刷アプリケーション部３０７の機能によって、Ｗａｒｍ  ｕｐコマンド送信後、画像形成装置２０１Ａに対して印刷処理を開始させる。
【０１１４】
次に、画像形成装置２０１Ａの動作を図２２のフローチャートを用いて説明する。
【０１１５】
ステップＳ２２０１では、画像形成装置２０１Ａはモバイル端末３０１ＤとＮＦＣ通信を行う。ステップＳ２２０２では、画像形成装置２０１Ａは、モバイル端末３０１Ｄ側からＷａｒｍ  ｕｐコマンドが送信されてきたか否かの判断処理を行う。Ｗａｒｍ  ｕｐコマンドが送られてきた場合は、ステップＳ２２０５の処理へ移行し、送られてこなかった場合はステップＳ２２０３の処理へ移行する。
【０１１６】
ステップＳ２２０３では、画像形成装置２０１ＡはＮＦＣ通信を行ったモバイル端末３０１Ｄのアプリケーション種別を判断する。ステップＳ２２０４では、画像形成装置２０１Ａは、画像形成装置２０１ＡとＮＦＣ通信を行ったモバイル端末３０１Ｄのアプリケーションが印刷系のアプリケーションか否かの判断処理を行う。印刷系のアプリケーションの場合は、ステップＳ２２０５の処理へ移行し、印刷系のアプリケーションでない場合は処理を終了する。
【０１１７】
Ｗａｒｍ  ｕｐコマンドが送られた場合と印刷系のアプリケーションとの通信である場合は、ステップＳ２２０５に進み、画像形成装置２０１Ａは、印刷処理の開始前にＷａｒｍ  ｕｐを開始する。ステップＳ２２０６では、Ｗａｒｍ  ｕｐ開始後、画像形成装置２０１Ａは印刷処理を開始する。
【０１１８】
［５．３  効果］
以上のように、本実施の形態によれば、モバイル端末３０１Ｄ側のアプリケーションの種別を判断し、印刷に関連するアプリケーションだった場合に、Ｗａｒｍ  ｕｐ処理をさせてから印刷データの処理を行わせ、即座に印刷結果を取得できるようになるため、ユーザの印刷結果取得の待ち時間が軽減される。
【０１１９】
その他の構成、動作、ならびに効果は、上記第１の実施の形態に係る画像処理システムと略同様であってもよい。
【０１２０】
＜６．その他の実施の形態＞
本発明による技術は、上記実施の形態の説明に限定されず種々の変形実施が可能である。
【０１２１】
上記各実施の形態では、情報処理装置が画像形成装置である場合を例に説明したが、情報処理装置が、コピー機能、スキャン機能、プリント機能、およびファックス機能等を有するＭＦＰ（複合機）であってもよい。
【０１２２】
また、上記各実施の形態では、最初に、情報端末装置側から暗号化データと暗号化データの関連情報とを送信し、情報処理装置側は受信した暗号化データと関連情報とを対応付けて一時的に格納する場合を例に説明したが、この例に限らない。例えば、最初に、情報端末装置側から暗号化データのみを送信し、情報処理装置側において、受信した暗号化データの関連情報を生成して、暗号化データと関連情報とを対応付けて一時的に格納するようにしてもよい。この場合、生成する関連情報は、例えば受け付け番号等であってもよい。その後、情報処理装置側から情報端末装置側に関連情報を送信（通知）するようにしてもよい。情報端末装置側では、暗号化データの関連情報に対応する特定情報と共に復号化情報を情報処理装置側に送信するようにしてもよい。この場合、特定情報は情報処理装置側で生成された関連情報（受け付け番号等）と実質的に同一のデータであってもよい。情報処理装置側では、情報端末装置側から受信した特定情報によって一時的に格納した暗号化データを特定することができる。
【符号の説明】
【０１２３】
２０１，２０１Ａ…画像形成装置（情報処理装置）、２０２…ＴＣＰ／ＩＰ（有線）通信部、２０３…Ｗｉｆｉ通信部（第１の通信部、第３の通信部）、２０４…ＮＦＣ通信部（第２の通信部、第４の通信部）、２０５…信処理部、２０６…データ送受信部（受信部）、２０７…パネル操作部、２０８…セキュアプリント制御部、２０９…データ登録部、２１０…データ取得部（復号化部）、２１１…認証実行部、２１２…記憶部（格納部、第２の格納部）、２１３…印刷データ処理部、２１４…印刷出力部、２１５…Ｗａｒｍ  ｕｐ処理部、２１６…通信アプリケーション識別部、３０１，３０１Ａ，３０１Ｂ，３０１Ｃ…モバイル端末（情報端末装置）、３０２…操作部、３０３…表示部、３０４…ＮＦＣ通信部（第２の通信部）、３０５…Ｗｉｆｉ通信部（第１の通信部）、３０６…記憶部、３０７…印刷アプリケーション部、３０８…アプリケーション設定部、３０９…印刷データ生成部、３１０…印刷設定部、３１１…表示制御部、３１２…ＰＤＦパスワード保持部（格納部、第１の格納部）、３１３…データ送信部（送信部）、３１４…印刷指示部、３１５…ＰＤＦパスワード送信手段制御部（送信選択制御部）、３１６…ファイル選択順序保持部（選択順序保持部）、３１７…ファイル出力順序制御部（出力順序制御部）、３１８…Ｗａｒｍ  ｕｐコマンド送信部。
【図１】
2019115016.tif 000003
【図２】
2019115016.tif 000004
【図３】
2019115016.tif 000005
【図４】
2019115016.tif 000006
【図５】
2019115016.tif 000007
【図６】
2019115016.tif 000008
【図７】
2019115016.tif 000009
【図８Ａ】
2019115016.tif 000010
【図８Ｂ】
2019115016.tif 000011
【図９】
2019115016.tif 000012
【図１０】
2019115016.tif 000013
【図１１Ａ】
2019115016.tif 000014
【図１１Ｂ】
2019115016.tif 000015
【図１２】
2019115016.tif 000016
【図１３】
2019115016.tif 000017
【図１４】
2019115016.tif 000018
【図１５】
2019115016.tif 000019
【図１６】
2019115016.tif 000020
【図１７】
2019115016.tif 000021
【図１８Ａ】
2019115016.tif 000022
【図１８Ｂ】
2019115016.tif 000023
【図１９】
2019115016.tif 000024
【図２０】
2019115016.tif 000025
【図２１】
2019115016.tif 000026
【図２２】
2019115016.tif 000027